(57)【要約】      （修正有）【課題】ロック可能範囲が大きくなり、各種類の便器のロック穴に対応することが可能であり、全体の見栄えが良くなる便器噴水構造を提供する。【解決手段】噴水構造主体１０を含み、噴水構造主体は、Ｌ字形を呈し、第１側辺１１に制御ユニット２０が設けられ、第２側辺１２には、一セットの噴水構造３０と、一セットの固定構造４０と、が設けられている便器噴水構造において、固定構造は、少なくとも一つの円形回転盤４１と、少なくとも一つの階段付き円形穴４２と、を含み、階段付き円形穴には、円形回転盤が回転可能に上方から組み付けられている。円形回転盤には階段付き長穴４１１が設けられ、階段付き長穴を挿通するロック螺子により、円形回転盤を回転して階段付き長穴内に位置を調整して、予定位置にロックすることが可能である。【選択図】図１
0003192694.tif 000002
【実用新案登録請求の範囲】
【請求項１】
噴水構造主体を含み、前記噴水構造主体は、Ｌ字形を呈し、その第１側辺に制御ユニットが設けられており、その第２側辺には、一セットの噴水構造と、一セットの固定構造と、が設けられている便器噴水構造において、
前記固定構造は、少なくとも一つの円形回転盤と、少なくとも一つの階段付き円形穴と、を含み、前記階段付き円形穴には、前記円形回転盤が上方から組み付けられており、前記円形回転盤は前記階段付き円形穴内に回転することが可能であり、前記円形回転盤に階段付き長穴が設けられており、前記階段付き長穴を挿通するロック螺子は、前記円形回転盤を回転して前記階段付き長穴内に位置を調整することにより、予定位置にロックすることが可能であることを特徴とする便器噴水構造。
【請求項２】
前記円形回転盤は、その内部が中空であり、下方へ開口し、前記円形回転盤の内部に補強リブが複数設けられていることを特徴とする、請求項１に記載の便器噴水構造。
【請求項３】
バネに付勢されて常時にチューブ状ケースに収容されている伸縮チューブを含み、前記伸縮チューブに傾斜面が設けられており、前記傾斜面に噴水穴が複数設けられており、水の水圧により、前記伸縮チューブが押さえられて伸び出して噴水することを特徴とする、請求項１に記載の便器噴水構造。
【請求項４】
前記伸縮チューブの前記傾斜面は、水平面から下方に４９度に傾斜し、当該傾斜角度により男性の肛門を洗浄することが可能であり、又は水平面から下方に５３度に傾斜し、当該傾斜角度により女性の尿道口を洗浄することが可能であることを特徴とする、請求項３に記載の便器噴水構造。
【請求項５】
前記制御ユニットは、温水冷水制御具と、水量制御具と、男性女性噴水制御具と、を含み、前記温水冷水制御具、前記水量制御具及び前記男性女性噴水制御具は、複数の管路によって互いに接続し、複数の管路により、前記制御ユニットは前記噴水構造と接続することを特徴とする、請求項１に記載の便器噴水構造。
【考案の詳細な説明】
【技術分野】
【０００１】
本考案は、便器に関し、特に、噴水構造主体に階段付き円形穴が少なくとも一つ設けられており、階段付き円形穴には、階段付き長穴が設けられている円形回転盤が上方から組み付けられており、階段付き長穴を挿通するロック螺子は、円形回転盤を回転して階段付き長穴内に位置を調整することにより、予定位置にロックすることが可能であり、全体の見栄えが良くなる便器噴水構造に関するものである。
【背景技術】
【０００２】
特許文献１の台湾特許出願第１０１２２３０５９号の「便器噴水構造」は、便器のカバーの上側の予定位置に設けられている洗浄器と、水量制御ユニットと、噴水ユニットと、水道水接続台と、水管と、を含む。前記水量制御ユニットは、前記洗浄器の予定位置に設けられており、その底側に水道水接続穴が設けられており、その上端面の予定位置にツマミが設けられており、前記ツマミにより水量を制御することが可能であり、前記ツマミの周りに水量目盛りが設けられている。前記噴水ユニットは定位台を含む。前記定位台に定位穴が複数設けられている。前記定位穴は、横プレートに設けられているロック穴に対応する。複数の螺子は、前記定位穴と前記ロック穴を挿通して締結することが可能である。前記定位台から噴水ロッドが上方に延びる。前記噴水ロッドの内部に予定位置に嵌合部が設けられている。前記噴水ロッドの内部にスライド溝が形成されている。前記スライド溝にスライドロッドを摺動可能に挿入することが可能である。前記スライドロッドの末端に伸縮ガイドロッドが設けられている。前記伸縮ガイドロッドは、前記スライドロッドの末端を止めることが可能である。前記スライドロッドの前記嵌合部に対応する位置に嵌合端が設けられている。前記嵌合部と前記嵌合端の間に弾性体が設けられている。このように、前記スライドロッドは、伸縮することが可能であるように、前記噴水ロッドの内部に隠れる。前記スライドロッドの予定セクションに傾斜面が設けられている。前記傾斜面に噴水穴が複数設けられている。前記水道水接続台は、Ｌ字形を呈し、その一端が前記噴水ユニットの前記噴水ロッドと連通し、前記スライドロッドのこれらの前記噴水穴と連通する。前記水管の両端は、前記水量制御ユニットの前記水道水接続穴及び前記水道水接続台の他端とそれぞれ接続する。
【０００３】
上記の便器噴水構造には、横プレートと、少なくとも二つの固定ユニットと、噴水ユニットと、が設けられている。前記横プレートは水量制御ユニットの一側に設けられている。前記横プレートの底部にロック穴が複数設けられている。前記ロック穴と前記水道水接続穴の間に溝が設けられている。前記固定ユニットは固定台を含む。前記固定台には、上レールと、下レールと、が設けられている。前記上レールと前記下レールの間にスライドプレートが設けられている。前記スライドプレートには、前記上レールと前記下レールとに対応するレールがそれぞれ設けられている。前記スライドプレートの表面に固定穴が複数設けられている。前記噴水ユニットは定位台を含む。前記定位台に定位穴が複数設けられている。前記定位穴は、前記横プレートに設けられているロック穴に対応する。複数の螺子は、前記定位穴と前記ロック穴を挿通して締結することが可能である。しかしながら、上記の便器噴水構造によれば、ロック可能範囲が小さいため、各種類の便器のロック穴に対応することができず、そして見栄えが良くない問題がある。
【先行技術文献】
【特許文献】
【０００４】
【特許文献１】台湾特許出願第１０１２２３０５９号公報
【考案の概要】
【考案が解決しようとする課題】
【０００５】
本考案の主な目的は、噴水構造主体に階段付き円形穴が少なくとも一つ設けられており、階段付き円形穴には、階段付き長穴が設けられている円形回転盤が上方から組み付けられており、階段付き長穴を挿通するロック螺子は、円形回転盤を回転して階段付き長穴内に位置を調整することにより、予定位置にロックすることが可能であり、全体の見栄えが良くなる便器噴水構造を提供することにある。
【課題を解決するための手段】
【０００６】
本考案の便器噴水構造によると、噴水構造主体を含み、噴水構造主体は、Ｌ字形を呈し、その第１側辺に制御ユニットが設けられており、その第２側辺には、一セットの噴水構造と、一セットの固定構造と、が設けられている便器噴水構造において、固定構造は、少なくとも一つの円形回転盤と、少なくとも一つの階段付き円形穴と、を含み、階段付き円形穴には、円形回転盤が上方から組み付けられており、円形回転盤は階段付き円形穴内に回転することが可能であり、円形回転盤に階段付き長穴が設けられており、階段付き長穴を挿通するロック螺子は、円形回転盤を回転して階段付き長穴内に位置を調整することにより、予定位置にロックすることが可能であることを特徴とする。
【０００７】
本考案の便器噴水構造によると、円形回転盤は、その内部が中空であり、下方へ開口し、円形回転盤の内部に補強リブが複数設けられていることを特徴とする。
【０００８】
本考案の便器噴水構造によると、バネに付勢されて常時にチューブ状ケースに収容されている伸縮チューブを含み、伸縮チューブに傾斜面が設けられており、傾斜面に噴水穴が複数設けられており、水の水圧により、伸縮チューブが押さえられて伸び出して噴水することを特徴とする。
【０００９】
本考案の便器噴水構造によると、伸縮チューブの傾斜面は、水平面から下方に４９度に傾斜し、当該傾斜角度により男性の肛門を洗浄することが可能であり、又は水平面から下方に５３度に傾斜し、当該傾斜角度により女性の尿道口を洗浄することが可能であることを特徴とする。
【００１０】
本考案の便器噴水構造によると、制御ユニットは、温水冷水制御具と、水量制御具と、男性女性噴水制御具と、を含み、温水冷水制御具、水量制御具及び男性女性噴水制御具は、複数の管路によって互いに接続し、複数の管路により、制御ユニットは噴水構造と接続することを特徴とする。
【考案の効果】
【００１１】
本考案の便器噴水構造によれば、噴水構造主体に階段付き円形穴が少なくとも一つ設けられており、階段付き円形穴には、階段付き長穴が設けられている円形回転盤が上方から組み付けられており、階段付き長穴を挿通するロック螺子は、円形回転盤を回転して階段付き長穴内に位置を調整することにより、予定位置にロックすることが可能であり、全体の見栄えが良くなるという効果を有する。
【図面の簡単な説明】
【００１２】
【図１】本考案の一実施例を示す分解斜視図である。
【図２】本考案の一実施例を示す平面図である。
【図３】本考案の一実施例の固定構造を調整している状態を示す斜視図である。
【図４】本考案の一実施例の下方から見た斜視図である。
【図５】本考案の一実施例の男性用噴水構造が動作している状態を示す断面図である。
【図６】本考案の一実施例の女性用噴水構造が動作している状態を示す断面図である。
【図７】本考案の一実施例が便器に組み付けられている状態を示す斜視図である。
【考案を実施するための最良の形態】
【００１３】
以下、本考案の実施の形態を図面に基づいて説明する。
図１から図７を参照する。図１は本考案の一実施例を示す分解斜視図であり、図２は本考案の一実施例を示す平面図であり、図３は本考案の一実施例の固定構造を調整している状態を示す斜視図であり、図４は本考案の一実施例の下方から見た斜視図であり、図５は本考案の一実施例の男性用噴水構造が動作している状態を示す断面図であり、図６は本考案の一実施例の女性用噴水構造が動作している状態を示す断面図であり、図７は本考案の一実施例が便器に組み付けられている状態を示す斜視図である。本考案の一実施例は噴水構造主体１０を含む。噴水構造主体１０は、Ｌ字形を呈し、その第１側辺１１に制御ユニット２０が設けられており、その第２側辺１２には、一セットの噴水構造３０と、一セットの固定構造４０と、が設けられている。固定構造４０は、少なくとも一つの円形回転盤４１と、少なくとも一つの階段付き円形穴４２と、を含む。階段付き円形穴４２には、円形回転盤４１が上方から組み付けられており、円形回転盤４１は階段付き円形穴４２内に回転することが可能である。円形回転盤４１に階段付き長穴４１１が設けられている。階段付き長穴４１１を挿通するロック螺子５０は、円形回転盤４１を回転して階段付き長穴４１１内に位置を調整することにより、予定位置にロックすることが可能であり、その調整可能の範囲は二次元的平面であり、見栄えが良くなる。
【００１４】
制御ユニット２０は、温水冷水制御具２１と、水量制御具２２と、男性女性噴水制御具２３と、を含む。温水冷水制御具２１、水量制御具２２及び男性女性噴水制御具２３は、管路２４によって互いに接続している。管路２５により、制御ユニット２０は、男性用噴水構造３１及び女性用噴水構造３２と接続している。このように、水温、水量及び男性／女性に適合する角度を調整して、ユーザのお尻を洗浄することが可能である。
【００１５】
図２及び図３を参照する。本考案の一実施例は、階段付き長穴４１１を挿通するロック螺子５０は、円形回転盤４１を回転して階段付き長穴４１１内に位置を調整することにより、予定位置にロックすることが可能である。ロック螺子５０の調整可能の範囲は、Ｘ軸方向とＹ軸方向とから構成される二次元的平面である。円形回転盤４１が二つあれば、ロック螺子５０の調整可能の範囲は、更に大きくなり、二次元的平面であるため、各種類の便器のロック穴に対応することが可能である。
【００１６】
本考案の一実施例は、図４に示すように、円形回転盤４１は、その内部が中空であり、下方へ開口し、円形回転盤４１の内部に補強リブ４１２が複数設けられている。
【００１７】
図５を参照する。図５は本考案の一実施例の男性用噴水構造が動作している状態を示す断面図である。噴水構造３０は、男性用噴水構造３１と、女性用噴水構造３２と、を含む。男性用噴水構造３１と女性用噴水構造３２とは、バネ３４に付勢されて常時にチューブ状ケース３５に収容されている伸縮チューブ３３を含む。伸縮チューブ３３に傾斜面３３１が設けられている。傾斜面３３１に噴水穴３３２が複数設けられている。水の水圧により、伸縮チューブ３３が押さえられて伸び出して噴水する。傾斜面３３１の傾斜角度により、噴水穴３３２から噴出する水は男性の肛門を洗浄することが可能である。
【００１８】
図６を参照する。図６は本考案の一実施例の女性用噴水構造が動作している状態を示す断面図である。噴水構造３０は、男性用噴水構造３１と、女性用噴水構造３２と、を含む。男性用噴水構造３１と女性用噴水構造３２とは、バネ３４に付勢されて常時にチューブ状ケース３５に収容されている伸縮チューブ３３を含む。伸縮チューブ３３に傾斜面３３１ａが設けられている。傾斜面３３１ａに噴水穴３３２ａが複数設けられている。水の水圧により、伸縮チューブ３３が押さえられて伸び出して噴水する。傾斜面３３１ａの傾斜角度により、噴水穴３３２ａから噴出する水は女性の尿道口を洗浄することが可能である。
【００１９】
図７を参照する。本実施例の固定構造４０は、多くの種類の便器６０に合うことが可能である。便器６０に穴６１が二つ設けられている。噴水構造主体１０に組み付けられている円形回転盤４１を回転して、円形回転盤４１に設けられている階段付き長穴４１１を穴６１にそれぞれ位置合わせると、ロック螺子５０を階段付き長穴４１１に挿通して穴６１に締結することが可能である。このように、便器６０に噴水構造主体１０を容易に固定することが可能である。
【産業上の利用可能性】
【００２０】
本考案は、便器に適用することができる。
【符号の説明】
【００２１】
１０  噴水構造主体
１１  第１側辺
１２  第２側辺
２０  制御ユニット
２１  温水冷水制御具
２２  水量制御具
２３  男性女性噴水制御具
２４  管路
２５  管路
３０  噴水構造
３１  男性用噴水構造
３２  女性用噴水構造
３３  伸縮チューブ
３４  バネ
３５  チューブ状ケース
４１  円形回転盤
４０  固定構造
４２  階段付き円形穴
５０  ロック螺子
６０  便器
６１  穴
３３１  傾斜面
３３１ａ  傾斜面
３３２  噴水穴
３３２ａ  噴水穴
４１１  階段付き長穴
４１２  補強リブ
Ｘ  軸方向
Ｙ  軸方向
【図１】
0003192694.tif 000003
【図２】
0003192694.tif 000004
【図３】
0003192694.tif 000005
【図４】
0003192694.tif 000006
【図５】
0003192694.tif 000007
【図６】
0003192694.tif 000008
【図７】
0003192694.tif 000009